【手続補正書】
【提出日】平成29年1月30日(2017.1.30)
【手続補正１】
【補正対象書類名】特許請求の範囲
【補正対象項目名】全文
【補正方法】変更
【補正の内容】
【特許請求の範囲】
【請求項１】
垂直に向いたボディメーカ（１０）用の作動機構（１４）において、
ボディメーカ（１０）は、ハウジングアセンブリ（１１）を含んでおり、ハウジングアセンブリ（１１）は、幾つかの細長のラムの経路（１３）を含んでおり、幾つかのラムの経路（１３）は、略垂直に延びており、
作動機構（１４）は、
ハウジングアセンブリ（１１）に回転可能に結合され、クランクピンジャーナル（１６４）の幾つかの対を含んでいるクランクシャフト（１５０）と、
クランクシャフト（１５０）に動作可能に結合されたモータ（１５２）と、
幾つかのリンク（１８２）を含むリンクアセンブリ（１８０）と、
幾つかのラムアセンブリ（２５０）であって、各ラムアセンブリ（２５０）は、細長のラム本体（２５２）を含んでおり、各ラム本体（２５２）は、ラムの経路（１３）にわたって動くように構成されている、幾つかのラムアセンブリ（２５０）と、
を備えており、
リンクアセンブリ（１８０）の幾つかのリンク（１８２）は、各クランクシャフトのクランクピンジャーナル（１６４）とラム本体（２５２）との間を延びて、各クランクシャフトのクランクピンジャーナル（１６４）をラム本体（２５２）に動作可能に結合する、作動機構（１４）。
【請求項２】
クランクピンジャーナル（１６４）の対の各々は、対向するクランクピンジャーナル（１６４）を含む、請求項１に記載の作動機構（１４）。
【請求項３】
ラムアセンブリ（２５０）は、第１ラムアセンブリ（２５０Ａ）及び第２ラムアセンブリ（２５０Ｂ）を含んでおり、
各ラムアセンブリ（２５０Ａ、２５０Ｂ）は、引っ込められた第１位置と、伸ばされた第２位置との間を移動し、
第１ラムアセンブリ（２５０Ａ）が第１位置にある場合、第２ラムアセンブリ（２５０Ｂ）は、ほぼ第２位置にあり、第１ラムアセンブリ（２５０Ａ）が第２位置にある場合、第２ラムアセンブリ（２５０Ｂ）は、ほぼ第１位置にある、請求項１に記載の作動機構（１４）。
【請求項４】
リンクアセンブリ（１８０）は、クランクシャフト（１５０）とラム本体（２５２）の間に配置された少なくとも１つの回転カップリング（１８１）を含んでいる、請求項１に記載の作動機構（１４）。
【請求項５】
ハウジングアセンブリ（１１）は、幾つかのラムガイド（２３０）及びスライダチャンネル（２３２）を含んでおり、各ラムガイド（２３０）は、略垂直な移動経路を規定し、各スライダチャンネル（２３２）は、略垂直な移動経路を規定し、
リンクアセンブリ（１８０）は、クランクシャフト（１８０）と各ラムアセンブリ（２５０）の間を延びるリンク（１８２）を含んでおり、各リンク機構（１８４）は、接続ロッド（１９０）及びスライダ（２４０）を含んでおり、
スライダ（２４０）は、２つの側面（２４６、２４８）を有する本体（２４２）を含んでおり、各側面（２４６、２４８）は、スライダチャンネル（２３２）に配置されるように構成されており、
各接続ロッド（１９０）は、第１の端部（１９２）及び第２の端部（１９４）を含んでおり、接続ロッドの第１の端部（１９２）は、回転カップリング（１８１）を含んでおり、接続ロッドの第２の端部（１９４）は、回転カップリング（１８１）を含んでおり、
各接続ロッドの本体の第１端部の回転カップリング（１８１）は、クランクピンジャーナル（１６４）に回転可能に結合されており、
各接続ロッドの本体の第２端部の回転カップリング（１８１）は、スライダ本体（２４２）に回転可能に結合されている、請求項１に記載の作動機構（１４）。
【請求項６】
各リンク機構（１８４）は、スイングアーム（２００）及びピボットロッド（２１０）を含んでおり、
各スイングアーム（２００）は、第１の端部（２０６）及び第２の端部（２０８）を含むヨーク（２０４）を含んでおり、ヨークの第１の端部（２０６）は、回転カップリング（１８１）を含んでおり、ヨークの第２の端部（２０８）は、回転カップリング（１８１）を含んでおり、
各ピボットロッド（２１０）は、第１の端部（２１２）及び第２の端部（２１４）を含んでおり、ピボットロッドの第１の端部（２１２）は、回転カップリング（１８１）を含んでおり、ピボットロッドの第２の端部（２１４）は、回転カップリング（１８１）を含んでおり、
各接続ロットの第１の端部の回転カップリング（１８１）は、クランクピンジャーナル（１６４）に回転可能に直接結合されており、
各接続ロットの第２の端部の回転カップリング（１８１）は、ピボットロッドの第１の端部の回転カップリング（１８１）に回転可能に結合されており、
各ピボットロッドの第２の端部の回転カップリング（１８１）は、スライダ本体（２４２）に回転可能に結合されており、
各スイングアームの第２の端部の回転カップリング（１８１）は、接続ロッドの第２の端部の回転カップリング（１８１）に回転可能に結合されており、
各スイングアーム（２００）は、ハウジングアセンブリ（１１）に回転可能に接続されている、請求項５に記載の作動機構（１４）。
【請求項７】
各ラムアセンブリ（２５０）は、クランプ装置（２７２）を含む再絞り機構（２７０）を含んでおり、
クランクシャフト（１５０）は、幾つかの再絞りカム（２７４）を含んでおり、
リンクアセンブリ（１８０）は、幾つかの再絞りリンク（２７６）を含んでおり、
各再絞りリンク（２７６）は、再絞りカム（２７４）とクランプ装置（２７２）の両方に結合されており、
クランクシャフト（１５０）の回転により、各クランプ装置（２７２）が作動する、請求項１に記載の作動機構（１４）。
【請求項８】
各再絞りカム（２７２）は、引っ込められた第１位置と、伸ばされた第２位置との間を移動し、各再絞りカム（２７２）は、第２位置にて休止時間を有する、請求項７に記載の作動機構（１４）。
【請求項９】
幾つかの細長いラムの経路（１３）を含んでおり、各ラムの経路（１３）は、略垂直に延びているハウジングアセンブリ（１１）と、
略垂直に延びている軸を有する中央通路（３２０）を有しており、ハウジングアセンブリ（１１）の上端部に結合されているツールパック（１６）と、
クランクシャフト（１５０）、モータ（１５０）、リンクアセンブリ（１８０）、及びラムアセンブリ（２５０）を含む作動機構（１４）と、
を含んでおり、
クランクシャフト（１５０）は、ハウジングアセンブリ（１１）に回転可能に結合されており、クランクピンジャーナル（１６４）の幾つかの対を含んでおり、
モータ（１５２）は、クランクシャフト（１５０）に動作可能に結合されており、
リンクアセンブリ（１８０）は、幾つかのリンク（１８２）を含んでおり、
ラムアセンブリ（２５０）は、幾つかの細長のラム本体（２５２）を含んでおり、各ラム本体（２５２）は、ラムの経路（１３）にわたって動くように構成されており、
リンクアセンブリ（１８０）の幾つかのリンク（１８２）は、クランクシャフトのクランクピンジャーナル（１６４）とラム本体（２５２）との間を延びて、クランクシャフトのクランクピンジャーナル（１６４）及びラム本体（２５２）の両方に動作可能に結合する、ボディメーカ（１０）。
【請求項１０】
クランクピンジャーナル（１６４）の対の各々は、対向するクランクピンジャーナル（１６４）を含む、請求項９に記載のボディメーカ（１０）。
【請求項１１】
ラムアセンブリ（２５０）は、第１ラムアセンブリ（２５０Ａ）及び第２ラムアセンブリ（２５０Ｂ）を含んでおり、
各ラムアセンブリ（２５０Ａ、２５０Ｂ）は、引っ込められた第１位置と、伸ばされた第２位置との間を移動し、
第１ラムアセンブリ（２５０Ａ）が第１位置にある場合、第２ラムアセンブリ（２５０Ｂ）は、ほぼ第２位置にあり、第１ラムアセンブリ（２５０Ａ）が第２位置にある場合、第２ラムアセンブリ（２５０Ｂ）は、ほぼ第１位置にある、請求項１０に記載のボディメーカ（１０）。
【請求項１２】
ハウジングアセンブリ（１１）は、幾つかのラムガイド（２３０）及びスライダチャンネル（２３２）を含んでおり、各ラムガイド（２３０）は、略垂直な移動経路を規定し、各スライダチャンネル（２３２）は、略垂直な移動経路を規定し、
リンクアセンブリ（１８０）は、クランクシャフト（１８０）と各ラムアセンブリ（２５０）の間を延びるリンク（１８２）を含んでおり、各リンク（１８２）は、接続ロッド（１９０）及びスライダ（２４０）を含んでおり、
スライダ（２４０）は、２つの側面（２４６、２４８）を有する本体（２４２）を含んでおり、各側面（２４６、２４８）は、スライダチャンネル（２３２）に配置されるように構成されており、
各接続ロッド（１９０）は、第１の端部（１９２）及び第２の端部（１９４）を含んでおり、接続ロッドの第１の端部（１９２）は、回転カップリング（１８１）を含んでおり、接続ロッドの第２の端部（１９４）は、回転カップリング（１８１）を含んでおり、
各接続ロッドの第１端部（１９２）は、クランクピンジャーナル（１６４）に回転可能に結合されており、
各接続ロッドの第２端部（１９４）は、スライダ本体（２４２）に回転可能に結合されている、請求項１０に記載のボディメーカ（１０）。
【請求項１３】
各リンク（１８２）は、スイングアーム（２００）及びピボットロッド（２１０）を含んでおり、
各スイングアーム（２００）は、第１の端部（２０６）及び第２の端部（２０８）を含むヨーク（２０４）を含んでおり、ヨークの第１の端部（２０６）は、回転カップリング（１８１）を含んでおり、ヨークの第２の端部（２０８）は、回転カップリング（１８１）を含んでおり、
各ピボットロッド（２１０）は、第１の端部（２１２）及び第２の端部（２１４）を含んでおり、ピボットロッドの第１の端部（２１２）は、回転カップリング（１８１）を含んでおり、ピボットロッドの第２の端部（２１４）は、回転カップリング（１８１）を含んでおり、
各接続ロットの第１の端部（１９２）は、クランクピンジャーナル（１６４）に回転可能に直接結合されており、
各接続ロットの第２の端部（１９４）は、ピボットロッドの第１の端部（２１２）に回転可能に結合されており、
各ピボットロッドの第２の端部（２１４）は、スライダ本体（２４２）に回転可能に結合されており、
各スイングアームの第２の端部（２０６）は、接続ロッドの第２の端部（１９４）に回転可能に結合されており、
各スイングアーム（２０８）は、ハウジングアセンブリ（１１）に回転可能に接続されている、請求項１２に記載のボディメーカ（１０）。
【請求項１４】
各ラムアセンブリ（２５０）は、クランプ装置（２７２）を含む再絞り機構（２７０）を含んでおり、
クランクシャフト（１５０）は、幾つかの再絞りカム（２７４）を含んでおり、
リンクアセンブリ（１８０）は、幾つかの再絞りリンク（２７６）を含んでおり、
各再絞りリンク（２７６）は、再絞りカム（２７４）とクランプ装置（２７２）の両方に結合されており、
クランクシャフト（１５０）の回転により、各クランプ装置（２７２）が作動する、請求項１０に記載のボディメーカ（１０）。
【請求項１５】
各再絞りカム（２７４）は、引っ込められた第１位置と、伸ばされた第２位置との間を移動し、各再絞りカム（２７４）は、第２位置にて休止時間を有する、請求項１４に記載のボディメーカ（１０）。